(57)【要約】【課題】未舗装路での走行性能と泥等の排出性能を改善した空気入りタイヤを提供する。【解決手段】トレッド部１のショルダー領域Ａ１と、そのタイヤ幅方向外側に位置するサイド領域Ａ２との境界位置に、ショルダーブロック２３のサイド領域側の側面およびサイドブロック３０の頂面に対して段差を有し、且つ、タイヤ周方向に沿ってタイヤ全周に亘って延在する帯状の稜線部４０を設け、稜線部４０をタイヤ外側に最も隆起した頂部４１とそのタイヤ周方向の両側に位置する一対の傾斜面４２とからなる断面三角形状の繰り返し要素が稜線部４０の延長方向に沿って複数配列されて形成された断面鋸歯状の凹凸形状とし、ショルダーラグ溝２０が主溝１０と連通する始端側の傾斜面４２ａの勾配角度θａと、ショルダーラグ溝２０がサイド領域Ａ２に向かって開口する終端側の傾斜面４２ｂの勾配角度θｂとがθｂ＞θａの関係を満たすようにする。【選択図】図３
2019147462.tif 000002
【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、
前記トレッド部の表面に、タイヤ赤道の両側でタイヤ周方向に沿って延在する一対の主溝を有し、前記一対の主溝のタイヤ幅方向外側に位置するショルダー領域に、タイヤ幅方向に沿って延在する複数本のショルダーラグ溝がタイヤ周方向に間隔をおいて設けられ、前記主溝および前記ショルダーラグ溝によって複数のショルダーブロックが区画され、
前記ショルダー領域のタイヤ幅方向外側に隣接するサイド領域に前記サイドウォール部の表面から隆起した複数のサイドブロックがタイヤ周方向に間隔を置いて設けられ、
前記ショルダー領域と前記サイド領域との境界位置に、前記ショルダーブロックのサイド領域側の側面および前記サイドブロックの頂面に対して段差を有し、且つ、タイヤ周方向に沿ってタイヤ全周に亘って延在する帯状の稜線部を備え、
前記稜線部はタイヤ外側に最も隆起した頂部とそのタイヤ周方向の両側に位置する一対の傾斜面とからなる断面三角形状の繰り返し要素が前記稜線部の延長方向に沿って複数配列されて形成された断面鋸歯状の凹凸形状を有し、
前記複数本のショルダーラグ溝はいずれもタイヤ幅方向に対して同方向に傾斜しており、各ショルダーラグ溝の前記主溝と連通する端部を始端とし、前記サイド領域に向かって開口する端部を終端としたとき、前記一対の傾斜面のうち始端側の傾斜面の勾配角度θａと終端側の傾斜面の勾配角度θｂとがθｂ＞θａの関係を満たすことを特徴とする空気入りタイヤ。
【請求項２】
タイヤ周方向に隣り合う前記繰り返し要素の傾斜面どうしが断面円弧状の凹面で滑らかに連結されることを特徴とする請求項１に記載の空気入りタイヤ。
【請求項３】
タイヤ周方向に隣り合う前記繰り返し要素の傾斜面どうしの連結部から前記稜線部の頂部までの高さが０．３ｍｍ以上であり、且つ、前記サイドブロックの隆起高さ以下であることを特徴とする請求項１または２に記載の空気入りタイヤ。
【請求項４】
前記繰り返し要素のタイヤ周方向に沿った長さが１．５ｍｍ以上５ｍｍ以下であることを特徴とする請求項１〜３のいずれかに記載の空気入りタイヤ。
【発明の詳細な説明】
【技術分野】
【０００１】
本発明は、未舗装路走行用タイヤとして好適な空気入りタイヤに関し、更に詳しくは、未舗装路での走行性能と泥等の排出性能を改善した空気入りタイヤに関する。
【背景技術】
【０００２】
不整地、泥濘地、雪道、砂地、岩場等の未舗装路の走行を意図した空気入りタイヤでは、一般的に、エッジ成分の多いラグ溝やブロックを主体とするトレッドパターンであって、溝面積が大きいものが採用される。このようなタイヤでは、路面上の泥、雪、砂、石、岩等（以下、これらを総称して「泥等」と言う）を噛み込んでトラクション性能を得ると共に、溝内に泥等が詰まることを防いで、未舗装路での走行性能を向上している。特に、トレッド部のショルダー領域よりもタイヤ幅方向外側（接地端よりもタイヤ幅方向外側）のサイド領域にもブロック（サイドブロック）を設けることで、未舗装路での走行性能を高めることが提案されている（例えば、特許文献１，２を参照）。
【０００３】
これら特許文献１，２のタイヤを対比すると、特許文献１のタイヤは、溝面積が比較的小さく、サイド領域の凹凸も比較的抑えられており、舗装路における走行性能も考慮したタイプのタイヤであると言える。一方、特許文献２のタイヤは、溝面積が大きく、個々のブロックも大きく、サイド領域の凹凸も強調されており、未舗装路での走行性能に特化したタイプのタイヤであると言える。そのため、前者は後者に比べて未舗装路での走行性能が低く、後者は前者に比べて通常走行時の性能（例えば騒音性能など）が低くなる傾向がある。近年、タイヤに対する要求性能の多様化が進み、これら２タイプのタイヤの中間レベルの性能を有する未舗装路走行用タイヤも求められており、適度な溝形状で未舗装路での走行性能を効率的に高めるための対策が求められている。また、このようなサイドブロックを備えたタイヤでは、空気入りタイヤを製造する金型のセクター割り位置（金型においてトレッド部を成型するための部分とサイドウォール部を成型するための部分との継ぎ目）に段差が生じて泥等の排出性能（以下、排土性という）に影響を及ぼすことがあるため、排土性を良好にするための対策も求められている。
【先行技術文献】
【特許文献】
【０００４】
【特許文献１】特開２０１６‐１５０６０３号公報
【特許文献２】特開２０１３‐１１９２７７号公報
【発明の概要】
【発明が解決しようとする課題】
【０００５】
本発明の目的は、未舗装路での走行性能と泥等の排出性能を改善した空気入りタイヤを提供することにある。
【課題を解決するための手段】
【０００６】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備えた空気入りタイヤにおいて、前記トレッド部の表面に、タイヤ赤道の両側でタイヤ周方向に沿って延在する一対の主溝を有し、前記一対の主溝のタイヤ幅方向外側に位置するショルダー領域に、タイヤ幅方向に沿って延在する複数本のショルダーラグ溝がタイヤ周方向に間隔をおいて設けられ、前記主溝および前記ショルダーラグ溝によって複数のショルダーブロックが区画され、前記ショルダー領域のタイヤ幅方向外側に隣接するサイド領域に前記サイドウォール部の表面から隆起した複数のサイドブロックがタイヤ周方向に間隔を置いて設けられ、前記ショルダー領域と前記サイド領域との境界位置に、前記ショルダーブロックのサイド領域側の側面および前記サイドブロックの頂面に対して段差を有し、且つ、タイヤ周方向に沿ってタイヤ全周に亘って延在する帯状の稜線部を備え、前記稜線部はタイヤ外側に最も隆起した頂部とそのタイヤ周方向の両側に位置する一対の傾斜面とからなる断面三角形状の繰り返し要素が前記稜線部の延長方向に沿って複数配列されて形成された断面鋸歯状の凹凸形状を有し、前記複数本のショルダーラグ溝はいずれもタイヤ幅方向に対して同方向に傾斜しており、各ショルダーラグ溝の前記主溝と連通する端部を始端とし、前記サイド領域に向かって開口する端部を終端としたとき、前記一対の傾斜面のうち始端側の傾斜面の勾配角度θａと終端側の傾斜面の勾配角度θｂとがθｂ＞θａの関係を満たすことを特徴とする。
【発明の効果】
【０００７】
本発明では、上述のように、主溝とショルダーラグ溝とを備えた溝主体のトレッドパターンを構成して未舗装路での走行性能を高めるにあたって、ショルダー領域とサイド領域との境界位置に存在する稜線部を頂部と一対の傾斜面とからなる断面鋸歯状の凹凸形状にし、その傾斜面の勾配角度をショルダーラグ溝の傾斜方向と関連付けて適切な大小関係を設定しているので、稜線部の凹凸形状によるエッジ効果で未舗装路での走行性能を高めることができ、且つ、ショルダーラグ溝の傾斜方向と関連付けられた方向性を有した稜線部（傾斜面）の非対称構造によって排土性を向上することができる。
【０００８】
本発明では、タイヤ周方向に隣り合う繰り返し要素の傾斜面どうしが断面円弧状の凹面で滑らかに連結されることが好ましい。これにより、稜線部の頂部に対して凹んだ部位の表面が滑らかになり、排土性を向上するには有利になる。また、タイヤ周方向に隣り合う繰り返し要素の傾斜面どうしの連結部を起点としたクラックの発生を抑制することもできる。
【０００９】
本発明では、タイヤ周方向に隣り合う繰り返し要素の傾斜面どうしの連結部から稜線部の頂部までの高さが０．３ｍｍ以上、且つ、サイドブロックの隆起高さ以下であることが好ましい。これにより稜線部の凹凸形状のバランスが良好になり、未舗装路での走行性能と排土性とを向上するには有利になる。
【００１０】
本発明では、繰り返し要素のタイヤ周方向に沿った長さが１．５ｍｍ以上５ｍｍ以下であることが好ましい。これにより、稜線部の凹凸形状がショルダーラグ溝等に対して適度なサイズになるため、未舗装路での走行性能と排土性とを向上するには有利になる。
【００１１】
本発明において、「接地端」とは、タイヤを正規リムにリム組みして正規内圧を充填した状態で平面上に垂直に置いて正規荷重を加えたときに形成される接地領域のタイヤ軸方向の両端部である。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが乗用車用である場合には１８０ｋＰａとする。「正規荷重」は、タイヤが基づいている規格を含む規格体系において、各規格がタイヤ毎に定めている荷重であり、ＪＡＴＭＡであれば最大負荷能力、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＬＯＡＤ  ＣＡＰＡＣＩＴＹ”であるが、タイヤが乗用車用である場合には前記荷重の８８％に相当する荷重とする。
【図面の簡単な説明】
【００１２】
【図１】本発明の実施形態からなる空気入りタイヤの子午線断面図である。
【図２】本発明の実施形態からなる空気入りタイヤのトレッド面を示す正面図である。
【図３】本発明の要部を拡大して示す説明図である。
【図４】本発明の稜線部の断面形状を模式的に示す説明図（図３のＸ−Ｘ矢視断面図）である。
【図５】本発明の別の実施形態からなる稜線部の断面形状を模式的に示す説明図である。
【発明を実施するための形態】
【００１３】
以下、本発明の構成について添付の図面を参照しながら詳細に説明する。
【００１４】
図１に示すように、本発明の空気入りタイヤは、トレッド部１と、このトレッド部１の両側に配置された一対のサイドウォール部２と、サイドウォール部２のタイヤ径方向内側に配置された一対のビード部３とを備えている。図１において、符号ＣＬはタイヤ赤道を示し、符号Ｅは接地端を示す。尚、図１は子午線断面図であるため描写されないが、トレッド部１、サイドウォール部２、ビード部３は、それぞれタイヤ周方向に延在して環状を成しており、これにより空気入りタイヤのトロイダル状の基本構造が構成される。以下、図１を用いた説明は基本的に図示の子午線断面形状に基づくが、各タイヤ構成部材はいずれもタイヤ周方向に延在して環状を成すものである。
【００１５】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。また、ビードコア５の外周上にはビードフィラー６が配置され、このビードフィラー６がカーカス層４の本体部と折り返し部とにより包み込まれている。一方、トレッド部１におけるカーカス層４の外周側には複数層（図１では２層）のベルト層７が埋設されている。各ベルト層７は、タイヤ周方向に対して傾斜する複数本の補強コードを含み、かつ層間で補強コードが互いに交差するように配置されている。これらベルト層７において、補強コードのタイヤ周方向に対する傾斜角度は例えば１０°〜４０°の範囲に設定されている。更に、ベルト層７の外周側にはベルト補強層８が設けられている。ベルト補強層８は、タイヤ周方向に配向する有機繊維コードを含む。ベルト補強層８において、有機繊維コードはタイヤ周方向に対する角度が例えば０°〜５°に設定されている。
【００１６】
本発明は、このような一般的な断面構造の空気入りタイヤに適用されるが、その基本構造は上述のものに限定されない。
【００１７】
本発明の空気入りタイヤのトレッド部１の表面には、図２に示すように、タイヤ赤道ＣＬの両側でタイヤ周方向に沿って延在する一対の主溝１０が形成される。この主溝１０は、溝幅が例えば１２ｍｍ〜２２ｍｍ、溝深さが１２ｍｍ〜１８ｍｍである。この主溝１０は、好ましくはタイヤ周方向に沿ってジグザグ状に延在するとよい。尚、ジグザグ状に延在するとは、図示の例のように、所定の方向に直進する部分と、この部分と異なる方向に直進する部分とが交互に繰り返して、タイヤ周方向に沿って繰り返し折れ曲がった形状である。
【００１８】
主溝１０のタイヤ幅方向外側に位置するショルダー領域Ａ１には、タイヤ幅方向に対して傾斜して延在する複数本のショルダーラグ溝２０が設けられている。これらショルダーラグ溝２０は、溝幅が例えば９ｍｍ〜１５ｍｍ、溝深さが例えば１２ｍｍ〜１８ｍｍであり、主溝１０と比べて溝幅および溝深さが同等以下の溝である。これらショルダーラグ溝２０は、それぞれ一端が主溝１０に連通し、他端が接地端Ｅを超えてタイヤ幅方向外側に向かって開口している。図示の例では、主溝１０に対する連通位置が異なる２種類のショルダーラグ溝２０（第一ショルダーラグ溝２１、第二ショルダーラグ溝２２）がタイヤ周方向に交互に配置されている。即ち、第一ショルダーラグ溝２１は、ジグザグ状に延在する主溝１０が折れ曲がった部分に連通し、第二ショルダーラグ溝２２は、ジグザグ状に延在する主溝１０が直進する部分に連通している。これらショルダーラグ溝２０（第一ショルダーラグ溝２１および第二ショルダーラグ溝２２）によって、ショルダー領域の陸部は、タイヤ周方向に間隔をおいて配列された複数のショルダーブロック２３に区画されている。
【００１９】
ショルダー領域Ａ１のタイヤ幅方向外側に隣接するサイド領域Ａ２には、サイドウォール部２の表面から隆起したサイドブロック３０が形成される。言い換えると、このサイドブロック３０が設けられた範囲、即ち、サイドブロック３０のタイヤ径方向最外側の点とタイヤ径方向最内側の点との間の領域がサイド領域Ａ２である。図示の例では、タイヤ幅方向の一方側と他方側とでサイドブロック３０の形状が異なっており、例えば一方側（図２におけるタイヤ赤道ＣＬの右側）のサイドブロック３０は、図３に拡大して示すように、ショルダーブロック２３の延長位置に形成された第一ブロック部３１と、タイヤ周方向に隣り合う第一ブロック部３１どうしを連結して第一ブロック部３１よりも隆起した第二ブロック部３２とで構成される。また、他方側（図２におけるタイヤ赤道ＣＬの左側）のサイドブロック３０は、ショルダーブロック２３の延長位置でショルダーブロック２３に隣接する第三ブロック部３３と、第三ブロック部３３から離間して更にタイヤ幅方向外側に位置する第四ブロック部３４とで構成される。
【００２０】
本発明は、ショルダー領域Ａ１とサイド領域Ａ２との境界に形成される後述の稜線部４０の形状に関するものであるので、ショルダーブロック２３やサイドブロック３０の具体的な形状は図示の例に限定されない。また、一対の主溝１０の間に位置するセンター領域の構造についても特に限定されない。尚、図示の例では、センター領域の陸部は、複数本のセンター浅溝５０によって、複数のセンターブロック５１に区画されている。
【００２１】
ショルダー領域Ａ１とサイド領域Ａ２との境界位置には、タイヤ周方向に沿ってタイヤ全周に亘って延在する帯状の稜線部４０が形成される。図示の例では、一方側（図３の側）のみに稜線部４０が設けられている。勿論、図２の例のようにタイヤ幅方向の両側でサイドブロック３０の形状が異なる場合にタイヤ幅方向の両側に稜線部４０を設けることもできる。尚、図２において、他方側のショルダー領域Ａ１とサイド領域Ａ２との境界でタイヤ周方向に延在する直線部は、空気入りタイヤを製造する金型のセクター割り位置（金型においてトレッド部１を成型するための部分とサイドウォール部２を成型するための部分との継ぎ目）に起因する段差である。
【００２２】
稜線部４０は、ショルダーブロック２３のサイド領域側の側面とサイドブロック３０の頂面に対して段差を有する。特に、図示の例では、稜線部４０は、ショルダーブロック２３のサイド領域側の側面とサイドブロック３０の第一ブロック部３１の頂面よりもタイヤ外側に向かって隆起している。この稜線部４０は、例えば、空気入りタイヤを製造する金型のセクター割り位置（金型においてトレッド部１を成型するための部分とサイドウォール部２を成型するための部分との継ぎ目）の近傍に設けることができる。稜線部４０の幅は、例えば１ｃｍ以下、好ましくは３ｍｍ〜７ｍｍにするとよい。
【００２３】
稜線部４０は、図４に示すように、タイヤ外側に最も隆起した頂部４１とそのタイヤ周方向の両側に位置する一対の傾斜面４２とからなる断面三角形状の繰り返し要素が稜線部の延長方向に沿って複数配列されて形成された断面鋸歯状の凹凸形状を有する。このとき、前述のように複数本のショルダーラグ溝２０はいずれもタイヤ幅方向に対して同方向に傾斜しているので、各ショルダーラグ溝２０の主溝１０と連通する端部を始端とし、サイド領域Ａ２に向かって開口する端部を終端とすると、一対の傾斜面４２のうち始端側の傾斜面４２ａの勾配角度θａと終端側の傾斜面４２ｂの勾配角度θｂとがθｂ＞θａの関係を満たしている。尚、勾配角度とは、タイヤ周方向に隣り合う傾斜面４２どうしの連結部（稜線部４０において頂部４１に対して最も深い部分）を結んだ平面（図の破線）に対する各傾斜面４２（４２ａ，４２ｂ）の角度である。
【００２４】
上述のように、主溝１０とショルダーラグ溝２０とを備えた溝主体のトレッドパターンを構成して未舗装路での走行性能を高めるにあたって、ショルダー領域Ａ１とサイド領域Ａ２との境界位置に存在する稜線部４０を頂部４１と一対の傾斜面４２とからなる断面鋸歯状の凹凸形状にしているので、稜線部４０の凹凸形状によるエッジ効果で未舗装路での走行性能を高めることができる。更に、稜線部４０の傾斜面４２の勾配角度θａ，θｂをショルダーラグ溝２０の傾斜方向と関連付けて適切な大小関係を設定しているので、頂部４１の両側の一対の傾斜面４２のうち相対的に面積が広くなる側がショルダーラグ溝２０に対して適切な向きになり、泥等の排出を妨げにくくなるので、排土性を向上することができる。
【００２５】
ショルダーラグ溝２０のタイヤ幅方向に対する傾斜角度は特に限定されないが、例えば１０°〜４５°に設定することができる。尚、ショルダーラグ溝２０の傾斜角度とは、ショルダーラグ溝２０の開口端における溝幅中心と、接地端Ｅにおける溝幅中心とを結んだ直線がタイヤ幅方向に対してなす角度である。
【００２６】
傾斜面４２の勾配角度θａは、例えば１０°〜３５°、傾斜面４２の勾配角度θｂは、例えば４５°〜８０°に設定することができる。また、勾配角度θａとθｂとの差は例えば８０°〜１１０°に設定するとよい。このように勾配角度の範囲を設定することで、稜線部４０の凹凸形状をより良好にすることができ、未舗装路での走行性能と排土性能を向上するには有利になる。
【００２７】
稜線部４０の形状や寸法は、空気入りタイヤのサイズ等に応じて適宜設定することができるが、タイヤ周方向に隣り合う繰り返し要素の傾斜面４２どうしの連結部から稜線部４０の頂部４１までの高さＨを０．３ｍｍ以上、且つ、サイドブロック３０の隆起高さ以下にすることが好ましい。尚、サイドブロック３０の隆起高さは例えば３ｍｍ〜４ｍｍに設定することができる。このように高さＨを設定することで、稜線部４０の凹凸形状のバランスが良好になり、未舗装路での走行性能と排土性とを向上するには有利になる。このとき、高さＨが０．３ｍｍ未満であると、実質的に稜線部４０の凹凸がなくなるため、稜線部４０によるエッジ効果を充分に得ることができない。高さＨがサイドブロック３０の隆起高さを超えると、稜線部４０の凹凸が過大になり、排土性が損なわれたり、稜線部４０自体の耐久性が低下する虞がある。
【００２８】
稜線部４０の形状に関して、繰り返し要素のタイヤ周方向に沿った長さＬを１．５ｍｍ以上５ｍｍ以下にすることが好ましい。これにより、稜線部の凹凸形状がショルダーラグ溝等に対して適度なサイズになるため、未舗装路での走行性能と排土性とを向上するには有利になる。特に、図示の例では、ショルダーブロック２０の踏面および側面からサイドブロック３０の第一ブロック部３１の頂面に亘ってタイヤ幅方向に沿って延在する細溝２４が設けられているが、繰り返し要素の長さＬはこの細溝２４の溝幅以下に設定されている。これにより、稜線部４０の凹凸形状によって細溝２４内の泥等の排出が妨げられることも防止されるので、排土性を高めるには有利になる。このとき、繰り返し要素の長さＬが１．５ｍｍ未満であると、稜線部４０の凹凸形状が細かくなり過ぎるため、稜線部４０の凹凸によるエッジ効果を充分に確保することが難しくなる。繰り返し要素の長さＬが５ｍｍを超えると、繰り返し要素がショルダーラグ溝２０に対して過度に大きくなるため、排土性を効果的に高めることが難しくなる。
【００２９】
稜線部４０の高さＨと繰り返し要素の長さＬとは、上述の範囲に設定すればよいが、より好ましくは高さＨと長さＬとが、Ｈ／Ｌ＝２０〜５０％の関係を満たすとよい。これにより、稜線部４０の凹凸形状（高さＨと長さＬとの比率）が最適化されて、未舗装路での走行性能と排土性能を向上するには有利になる。
【００３０】
稜線部４０は、図５に示すように、タイヤ周方向に隣り合う繰り返し要素の傾斜面４２どうしが断面円弧状の凹面で滑らかに連結される仕様にすることもできる。この仕様では、稜線部４０の頂部４１に対して凹んだ部位の表面が滑らかになり、排土性を向上するには有利になる。また、タイヤ周方向に隣り合う繰り返し要素の傾斜面どうしの連結部を起点としたクラックの発生を抑制することもできる。尚、この仕様の場合、勾配角度θａ，θｂは、図示のように、周方向に沿った断面において傾斜面４２の表面が形成する直線部分に基づいて測定するものとする。
【実施例】
【００３１】
タイヤサイズがＬＴ２６５／７０Ｒ１７  １２１Ｑであり、図１に例示する基本構造を有し、図２のトレッドパターンを基調とし、稜線部の凹凸の有無、稜線部の傾斜面の勾配角度θａ，θｂ、タイヤ周方向に隣り合う繰り返し要素の傾斜面どうしの連結部から稜線部の頂部までの高さＨ、繰り返し要素のタイヤ周方向に沿った長さＬ、タイヤ周方向に隣り合う繰り返し要素の傾斜面どうしの連結部の断面形状をそれぞれ表１〜２のように設定した比較例１〜３、実施例１〜１６の１９種類の空気入りタイヤを作製した。
【００３２】
尚、いずれの例においてもショルダーラグ溝はタイヤ幅方向に対して１０°〜４５°の角度で傾斜しており、勾配角度θａはショルダーラグ溝が主溝と連通する始端側の傾斜面の角度であり、勾配角度θｂはショルダーラグ溝がサイド領域に向かって開口する終端側の傾斜面の角度である。即ち、比較例３は、勾配角度θａ，θｂの大小関係が逆転した例である。また、表１，２の「傾斜面の連結部の断面形状」の欄については、対応する図番を示した。
【００３３】
これら空気入りタイヤについて、下記の評価方法により、発進性と排土性を評価し、その結果を表１〜２に併せて示した。
【００３４】
発進性
各試験タイヤをリムサイズ１７×８Ｊのホイールに組み付けて、空気圧を３５０ｋＰａとして試験車両（四輪駆動のＳＵＶ）に装着し、未舗装路（グラベル路面）からなる試験路にて発進性についてテストドライバーによる官能評価を行った。評価結果は、比較例１の値を１００とする指数にて示した。この指数値が大きいほど未舗装路における発進性が優れることを意味する。尚、指数値が「１０２」未満であると、基準とした比較例１と実質的な差がなく、発進性を改善する効果が得られなかったことを意味する。
【００３５】
排土性
各試験タイヤをリムサイズ１７×８Ｊのホイールに組み付けて、空気圧を３５０ｋＰａとして試験車両（四輪駆動のＳＵＶ）に装着し、未舗装路（グラベル路面）からなる試験路を１，０００ｋｍ走行し、走行後のショルダーラグ溝の目詰まり状態（排土状態）を目視で観察し、適正に排土されていたラグ溝の本数を測定した。評価結果は、比較例１の値を１００とする指数にて示した。この指数値が大きいほど適正に排土されたラグ溝の本数が多く、排土性に優れることを意味する。尚、指数値が「１０２」未満であると、基準とした比較例１と実質的な差がなく、排土性を改善する効果が得られなかったことを意味する。
【００３６】
【表１】
2019147462.tif 000003
【００３７】
【表２】
2019147462.tif 000004
【００３８】
表１〜２から明らかなように、実施例１〜１６はいずれも、比較例１と比較して、発進性と排土性を向上した。尚、グラベル路面における発進性のみを評価したが、他の未舗装路（泥濘路や岩場や雪道など）を走行した場合であっても、本発明のタイヤは、路面上の泥や岩や雪などに対して有効に作用するので、どのような未舗装路であっても優れた発進性能を発揮することができる。
【００３９】
一方、比較例２は勾配角度θａ，θｂとが等しく、稜線部の凹凸形状がショルダーラグ溝の傾斜方向と関連付けられていないため、発進性および排土性を高める効果が充分に得られなかった。比較例３は、勾配角度θａ，θｂの大小関係が逆転しているため、排土性が低下した。
【符号の説明】
【００４０】
１  トレッド部
２  サイドウォール部
３  ビード部
４  カーカス層
５  ビードコア
６  ビードフィラー
７  ベルト層
８  ベルト補強層
１０  主溝
２０  ショルダーラグ溝
２１  第一ショルダーラグ溝
２２  第二ショルダーラグ溝
２３  ショルダーブロック
２４  細溝
３０  サイドブロック
３１  第一ブロック部
３２  第二ブロック部
３３  第三ブロック部
３４  第四ブロック部
４０  稜線部
４１  頂部
４２，４２ａ，４２ｂ  傾斜面
５０  センター浅溝
５１  センターブロック
Ａ１  ショルダー領域
Ａ２  サイド領域
Ｓ  サイド突起
ＣＬ  タイヤ赤道
Ｅ  接地端
【図１】
2019147462.tif 000005
【図２】
2019147462.tif 000006
【図３】
2019147462.tif 000007
【図４】
2019147462.tif 000008
【図５】
2019147462.tif 000009